(57)【要約】【課題】本発明は沐浴に便利なお風呂用おもちゃを開示した。【解決手段】ゴム外殻を含み、ギヤを回して回転軸を連動させて回転させ、回転軸がネジ山による係合を通じてネジ山スリーブを連動させて下へ移動させ、ネジ山スリーブが底端まで移動し、回転軸が回転できなく、同時にギヤが噛み合いにより回転リングを連動させて半周回転させ、連通溝が送気溝と連通し、偏心孔が空気パイプとずらして配置され、ゴム外殻を押して音を出すことにより子供の注意を引き、切換部品を使用してボディソープ又はシャンプーを押し出すことができ、泡立てネットを使用して泡を立てて沐浴することができ、子供の注意を引けると同時に保護者が子供の沐浴を助けることに便利を与える。【選択図】図１
2020157021.tif 000002
【特許請求の範囲】
【請求項１】
ゴム外殻を含み、前記ゴム外殻の中には下チャンバと上チャンバが設けられ、前記下チャンバと上チャンバとの間には中チャンバが連通して設けられ、前記吊りリングの中には音を出せる又はボディソープ、シャンプーを押し出せる音出しと押出部品が設けられ、前記音出しと押出部品が前記中チャンバの左右壁の間に固定的に装着される固定ブロックＡを含み、前記固定ブロックＡの中には乳液チャンバが設けられ、前記上チャンバの内壁には固定ブロックＢが設けられ、前記固定ブロックＢと前記乳液チャンバとの間にはボディソープ又はシャンプーが流動しやすい流通パイプが設けられ、前記固定ブロックＢと前記固定ブロックＡとの間には空気パイプが設けられ、前記固定ブロックＢの中に位置する前記空気パイプの内壁の間には音出し用の空気漏れ口が設けられ、前記固定ブロックＡの中には前記音出しと押出部品の音出し機能と押出機能を切り替える切換部品が設置され、前記切換部品が前記空気パイプの中に位置する分流チャンバを含み、前記分流チャンバの内壁の中には回転リングが回転できるように装着され、前記分流チャンバと前記乳液チャンバとの間には送気溝が連通して設置され、前記回転リングには一つの連通溝が設けられ、前記連通溝が前記送気溝と連通でき、前記回転リングが回転した後、前記空気パイプが送る空気を前記乳液チャンバの中に入らせ、前記乳液チャンバの中にあるボディソープ、シャンプーを圧迫して前記流通パイプを通して流出させることを特徴とする沐浴に便利なお風呂用おもちゃ。
【請求項２】
前記音出しと押出部品はまた前記乳液チャンバの左側壁に固定的に装着される二つのパイプ固定ブロックを含み、前記乳液チャンバの底壁には凹溝が連通して設置され、前記流通パイプが二つの前記パイプ固定ブロックを貫通して下へ前記凹溝の中に入り込み、前記流通パイプが前記固定ブロックＢの中で伸びて前記空気パイプの中に入り込み、前記固定ブロックＢと前記乳液チャンバとの間には添加通路が連通して設置され、前記ゴム外殻には密封ヘッドが密封して設置され、前記密封ヘッドが前記添加通路と密封して係合され、前記ゴム外殻を押す時に空気が前記空気パイプの中に入り込み、空気が前記空気パイプを通して前記空気漏れ口を通す時、音を出し、空気が前記乳液チャンバの中に入った後、前記乳液チャンバの中の気圧が増大し、前記乳液チャンバにあるボディソープやシャンプーを圧迫して前記流通パイプを通して流出させることを特徴とする請求項１に記載の沐浴に便利なお風呂用おもちゃ。
【請求項３】
前記切換部品はまた前記回転リングの内壁の間に固定的に装着される閉塞板を含み、前記閉塞板には前記空気パイプと連通される偏心孔が設置され、前記回転リングの外側には環状チャンバが設置され、前記回転リングのうち前記環状チャンバの中に位置する外側端面には外リングギヤが設けられ、前記環状チャンバの右側壁には右に開口した回転チャンバが設けられ、前記回転チャンバの上下壁の間には回転軸が回転できるように装着され、前記回転軸にはギヤが固定的に装着され、前記ギヤが前記外リングギヤと噛み合い、前記回転チャンバの下方にはスライド溝が設けられ、前記回転軸が前記スライド溝の中に入り込み、前記スライド溝の中にはネジ山スリーブがスライドできるように装着され、前記ネジ山スリーブと前記回転軸とがネジ山により係合され、前記連通溝が右側に位置する時、前記偏心孔が前記空気パイプと連通し、空気が前記分流チャンバの中に上へ前記空気パイプの中に入り込み、前記ギヤを回して前記回転軸を連動させて回転させ、前記回転軸がネジ山による係合を通じて前記ネジ山スリーブを連動させて下へ移動させ、前記ネジ山スリーブが底端まで移動し、前記回転軸が回転できなく、同時に前記ギヤが噛み合いにより前記回転リングを連動させて半周回転させ、前記連通溝が前記送気溝と連通し、前記偏心孔が前記空気パイプとずらして配置され、前記下チャンバにある空気が送気溝を通して前記乳液チャンバの中に入り込むことができることを特徴とする請求項１に記載の沐浴に便利なお風呂用おもちゃ。
【請求項４】
前記ゴム外殻の底部端面には泡立てネットが設けられ、前記ゴム外殻の左側端面には前記吊りリングが設けられ、これにより吊りリングを通じてゴム外殻を引っ掛けることができ、前記泡立てネットを使用して泡を立てて沐浴することができることを特徴とする請求項１に記載の沐浴に便利なお風呂用おもちゃ。
【発明の詳細な説明】
【技術分野】
【０００１】
本発明は子供浴室おもちゃ分野を取り上げて、具体的には沐浴に便利なお風呂用おもちゃである。
【背景技術】
【０００２】
子供がお風呂に入る時、お風呂のおもちゃなどを置くことにより子供の注意を分散し、親が子供の沐浴を助けることに便利を与え、  現在、様々な浴室おもちゃが市販されており、しかし、沐浴に便利なお風呂用おもちゃはないのである。
【先行技術文献】
【特許文献】
【０００３】
【特許文献１】中国特許出願公開第１０７２８０５４２号明細書
【発明の概要】
【発明が解決しようとする課題】
【０００４】
本発明は沐浴に便利なお風呂用おもちゃを提供し、従来技術における上記欠点を解消することを目的とする。
【課題を解決するための手段】
【０００５】
本発明の沐浴に便利なお風呂用おもちゃは、ゴム外殻を含み、前記ゴム外殻の中には下チャンバと上チャンバが設けられ、前記下チャンバと上チャンバとの間には中チャンバが連通して設けられ、前記吊りリングの中には音を出せる又はボディソープ、シャンプーを押し出せる音出しと押出部品が設けられ、前記音出しと押出部品が前記中チャンバの左右壁の間に固定的に装着される固定ブロックＡを含み、前記固定ブロックＡの中には乳液チャンバが設けられ、前記上チャンバの内壁には固定ブロックＢが設けられ、前記固定ブロックＢと前記乳液チャンバとの間にはボディソープ又はシャンプーが流動しやすい流通パイプが設けられ、前記固定ブロックＢと前記固定ブロックＡとの間には空気パイプが設けられ、前記固定ブロックＢの中に位置する前記空気パイプの内壁の間には音出し用の空気漏れ口が設けられ、前記固定ブロックＡの中には前記音出しと押出部品の音出し機能と押出機能を切り替える切換部品が設置され、前記切換部品が前記空気パイプの中に位置する分流チャンバを含み、前記分流チャンバの内壁の中には回転リングが回転できるように装着され、前記分流チャンバと前記乳液チャンバとの間には送気溝が連通して設置され、前記回転リングには一つの連通溝が設けられ、前記連通溝が前記送気溝と連通でき、前記回転リングが回転した後、前記空気パイプが送る空気を前記乳液チャンバの中に入らせ、前記乳液チャンバの中にあるボディソープ、シャンプーを圧迫して前記流通パイプを通して流出させる。
【０００６】
更の技術プランとしては、前記音出しと押出部品はまた前記乳液チャンバの左側壁に固定的に装着される二つのパイプ固定ブロックを含み、前記乳液チャンバの底壁には凹溝が連通して設置され、前記流通パイプが二つの前記パイプ固定ブロックを貫通して下へ前記凹溝の中に入り込み、前記流通パイプが前記固定ブロックＢの中で伸びて前記空気パイプの中に入り込み、前記固定ブロックＢと前記乳液チャンバとの間には添加通路が連通して設置され、前記ゴム外殻には密封ヘッドが密封して設置され、前記密封ヘッドが前記添加通路と密封して係合される。
【０００７】
更の技術プランとしては、前記切換部品はまた前記回転リングの内壁の間に固定的に装着される閉塞板を含み、前記閉塞板には前記空気パイプと連通される偏心孔が設置され、前記回転リングの外側には環状チャンバが設置され、前記回転リングのうち前記環状チャンバの中に位置する外側端面には外リングギヤが設けられ、前記環状チャンバの右側壁には右に開口した回転チャンバが設けられ、前記回転チャンバの上下壁の間には回転軸が回転できるように装着され、前記回転軸にはギヤが固定的に装着され、前記ギヤが前記外リングギヤと噛み合い、前記回転チャンバの下方にはスライド溝が設けられ、前記回転軸が前記スライド溝の中に入り込み、前記スライド溝の中にはネジ山スリーブがスライドできるように装着され、前記ネジ山スリーブと前記回転軸とがネジ山により係合される。
【０００８】
更の技術プランとしては、前記ゴム外殻の底部端面には泡立てネットが設けられ、前記ゴム外殻の左側端面には前記吊りリングが設けられる。
【発明の効果】
【０００９】
本発明の有益効果は：本発明は構成が簡単で、操作が便利で、ゴム外殻を押して音を出すことにより子供の注意を引き、切換部品を使用してボディソープ又はシャンプーを押し出すことができ、泡立てネットを使用して泡を立てて沐浴することができ、子供の注意を引けると同時に保護者が子供の沐浴を助けることに便利を与え、普及する価値がある。
【図面の簡単な説明】
【００１０】
【図１】図１は本発明の全体構成模式図である；
【図２】図２は図１のＡにおける拡大模式図である；
【図３】図３はボディソープ又はシャンプーに切り換える時の構成模式図である。
【発明を実施するための形態】
【００１１】
以下に図１〜３を交えて本発明について詳しく説明する。便利に叙述するために、現在は後文に出る方位を下記の通りに規定する：後文に出る上下左右前後方向は図１本体の投影関係の上下左右前後方向と一致する。
【００１２】
図１〜３を参照し、本発明の実施例の沐浴に便利なお風呂用おもちゃは、ゴム外殻１１を含み、前記ゴム外殻１１の中には下チャンバ１３と上チャンバ２３が設けられ、前記下チャンバ１３と上チャンバ２３との間には中チャンバ１７が連通して設けられ、前記吊りリング１０の中には音を出せる又はボディソープ、シャンプーを押し出せる音出しと押出部品９０１が設けられ、前記音出しと押出部品９０１が前記中チャンバ１７の左右壁の間に固定的に装着される固定ブロックＡ１４を含み、前記固定ブロックＡ１４の中には乳液チャンバ１５が設けられ、前記上チャンバ２３の内壁には固定ブロックＢ２４が設けられ、前記固定ブロックＢ２４と前記乳液チャンバ１５との間にはボディソープ又はシャンプーが流動しやすい流通パイプ１８が設けられ、前記固定ブロックＢ２４と前記固定ブロックＡ１４との間には空気パイプ２０が設けられ、前記固定ブロックＢ２４の中に位置する前記空気パイプ２０の内壁の間には音出し用の空気漏れ口２５が設けられ、前記固定ブロックＡ１４の中には前記音出しと押出部品９０１の音出し機能と押出機能を切り替える切換部品９０２が設置され、前記切換部品９０２が前記空気パイプ２０の中に位置する分流チャンバ２６を含み、前記分流チャンバ２６の内壁の中には回転リング２８が回転できるように装着され、前記分流チャンバ２６と前記乳液チャンバ１５との間には送気溝２７が連通して設置され、前記回転リング２８には一つの連通溝３２が設けられ、前記連通溝３２が前記送気溝２７と連通でき、前記回転リング２８が回転した後、前記空気パイプ２０が送る空気を前記乳液チャンバ１５の中に入らせ、前記乳液チャンバ１５の中にあるボディソープ、シャンプーを圧迫して前記流通パイプ１８を通して流出させる。
【００１３】
有益的には、前記音出しと押出部品９０１はまた前記乳液チャンバ１５の左側壁に固定的に装着される二つのパイプ固定ブロック１６を含み、前記乳液チャンバ１５の底壁には凹溝１９が連通して設置され、前記流通パイプ１８が二つの前記パイプ固定ブロック１６を貫通して下へ前記凹溝１９の中に入り込み、前記流通パイプ１８が前記固定ブロックＢ２４の中で伸びて前記空気パイプ２０の中に入り込み、前記固定ブロックＢ２４と前記乳液チャンバ１５との間には添加通路２２が連通して設置され、前記ゴム外殻１１には密封ヘッド２１が密封して設置され、前記密封ヘッド２１が前記添加通路２２と密封して係合され、これによりゴム外殻１１を押す時にゴム外殻１１にある空気が空気パイプ２０の中に入り込み、空気が空気パイプ２０を通して空気漏れ口２５を通す時、音を出し、ゴム外殻１１から指を放した後、ゴム外殻１１が弾性力により復帰して空気を吸い込み、空気が乳液チャンバ１５の中に入った後、乳液チャンバ１５の中の気圧が増大し、乳液チャンバ１５にあるボディソープやシャンプーを圧迫して流通パイプ１８を通して流出させ、密封ヘッド２１を抜き出して添加通路２２を通して乳液チャンバ１５の中にボディソープあるいはシャンプーを添加することができる。
【００１４】
有益的には、前記切換部品９０２はまた前記回転リング２８の内壁の間に固定的に装着される閉塞板４０を含み、前記閉塞板４０には前記空気パイプ２０と連通される偏心孔３８が設置され、前記回転リング２８の外側には環状チャンバ３０が設置され、前記回転リング２８のうち前記環状チャンバ３０の中に位置する外側端面には外リングギヤ３１が設けられ、前記環状チャンバ３０の右側壁には右に開口した回転チャンバ３７が設けられ、前記回転チャンバ３７の上下壁の間には回転軸３５が回転できるように装着され、前記回転軸３５にはギヤ３６が固定的に装着され、前記ギヤ３６が前記外リングギヤ３１と噛み合い、前記回転チャンバ３７の下方にはスライド溝３３が設けられ、前記回転軸３５が前記スライド溝３３の中に入り込み、前記スライド溝３３の中にはネジ山スリーブ３４がスライドできるように装着され、前記ネジ山スリーブ３４と前記回転軸３５とがネジ山により係合され、これにより連通溝３２が右側に位置する時、偏心孔３８が空気パイプ２０と連通し、空気が分流チャンバ２６の中に上へ空気パイプ２０の中に入り込み、ギヤ３６を回して回転軸３５を連動させて回転させ、回転軸３５がネジ山による係合を通じてネジ山スリーブ３４を連動させて下へ移動させ、ネジ山スリーブ３４が底端まで移動し、回転軸３５が回転できなく、同時にギヤ３６が噛み合いにより回転リング２８を連動させて半周回転させ、連通溝３２が送気溝２７と連通し、偏心孔３８が空気パイプ２０とずらして配置され、下チャンバ１３にある空気が送気溝２７を通して乳液チャンバ１５の中に入り込む。
【００１５】
有益的には、前記ゴム外殻１１の底部端面には泡立てネット１２が設けられ、前記ゴム外殻１１の左側端面には前記吊りリング１０が設けられ、これにより吊りリング１０を通じてゴム外殻を引っ掛けることができ、泡立てネット１２を使用して泡を立てて沐浴することができる。
【００１６】
使用する時、連通溝３２が右側に位置するとき、偏心孔３８が空気パイプ２０と連通し、ゴム外殻１１を押し出してゴム外殻１１にある空気が空気パイプ２０の中に入り込み、空気が空気パイプ２０を通して空気漏れ口２５を通す時、音を出し、ギヤ３６を回して回転軸３５を連動させて回転させ、回転軸３５がネジ山による係合を通じてネジ山スリーブ３４を連動させて下へ移動させ、ネジ山スリーブ３４が底端まで移動し、回転軸３５が回転できなく、同時にギヤ３６が噛み合いにより回転リング２８を連動させて半周回転させ、連通溝３２が送気溝２７と連通し、偏心孔３８が空気パイプ２０とずらして配置され、ゴム外殻１１を押し出す時、下チャンバ１３にある空気が送気溝２７を通して乳液チャンバ１５の中に入り込むことができ、乳液チャンバ１５の中の気圧が増大し、乳液チャンバ１５にあるボディソープやシャンプーを圧迫して流通パイプ１８を通して流出させる。
【００１７】
密封ヘッドを抜き出して添加通路２２を通して乳液チャンバ１５の中にボディソープ又はシャンプーを添加することができ、泡立てネット１２を使用して泡を立てて沐浴することができる。
【００１８】
本発明の有益効果は：本発明は構成が簡単で、操作が便利で、ゴム外殻を押して音を出すことにより子供の注意を引き、切換部品を使用してボディソープ又はシャンプーを押し出すことができ、泡立てネットを使用して泡を立てて沐浴することができ、子供の注意を引けると同時に保護者が子供の沐浴を助けることに便利を与え、普及する価値がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020157021.tif 000003
【図２】
2020157021.tif 000004
【図３】
2020157021.tif 000005
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
ゴム外殻を含み、前記ゴム外殻の中には下チャンバと上チャンバが設けられ、前記下チャンバと上チャンバとの間には中チャンバが連通して設けられ、前記中チャンバの中には音を出せる又はボディソープ、シャンプーを押し出せる音出しと押出部品が設けられ、前記音出しと押出部品が前記中チャンバの左右壁の間に固定的に装着される固定ブロックＡを含み、前記固定ブロックＡの中には乳液チャンバが設けられ、前記上チャンバの内壁には固定ブロックＢが設けられ、前記固定ブロックＢと前記乳液チャンバとの間にはボディソープ又はシャンプーが流動しやすい流通パイプが設けられ、前記固定ブロックＢと前記固定ブロックＡとの間には空気パイプが設けられ、前記固定ブロックＢの中に位置する前記空気パイプの内壁の間には音出し用の空気漏れ口が設けられ、前記固定ブロックＡの中には前記音出しと押出部品の音出し機能と押出機能を切り替える切換部品が設置され、前記切換部品が前記空気パイプの中に位置する分流チャンバを含み、前記分流チャンバの内壁の中には回転リングが回転できるように装着され、前記分流チャンバと前記乳液チャンバとの間には送気溝が連通して設置され、前記回転リングには一つの連通溝が設けられ、前記連通溝が前記送気溝と連通でき、前記回転リングが回転した後、前記空気パイプが送る空気を前記乳液チャンバの中に入らせ、前記乳液チャンバの中にあるボディソープ、シャンプーを圧迫して前記流通パイプを通して流出させることを特徴とする沐浴に便利なお風呂用おもちゃ。
【請求項２】
前記音出しと押出部品はまた前記乳液チャンバの左側壁に固定的に装着される二つのパイプ固定ブロックを含み、前記乳液チャンバの底壁には凹溝が連通して設置され、前記流通パイプが二つの前記パイプ固定ブロックを貫通して下へ前記凹溝の中に入り込み、前記流通パイプが前記固定ブロックＢの中で伸びて前記空気パイプの中に入り込み、前記固定ブロックＢと前記乳液チャンバとの間には添加通路が連通して設置され、前記ゴム外殻には密封ヘッドが密封して設置され、前記密封ヘッドが前記添加通路と密封して係合され、前記ゴム外殻を押す時に空気が前記空気パイプの中に入り込み、空気が前記空気パイプを通して前記空気漏れ口を通す時、音を出し、空気が前記乳液チャンバの中に入った後、前記乳液チャンバの中の気圧が増大し、前記乳液チャンバにあるボディソープやシャンプーを圧迫して前記流通パイプを通して流出させることを特徴とする請求項１に記載の沐浴に便利なお風呂用おもちゃ。
【請求項３】
前記切換部品はまた前記回転リングの内壁の間に固定的に装着される閉塞板を含み、前記閉塞板には前記空気パイプと連通される偏心孔が設置され、前記回転リングの外側には環状チャンバが設置され、前記回転リングのうち前記環状チャンバの中に位置する外側端面には外リングギヤが設けられ、前記環状チャンバの右側壁には右に開口した回転チャンバが設けられ、前記回転チャンバの上下壁の間には回転軸が回転できるように装着され、前記回転軸にはギヤが固定的に装着され、前記ギヤが前記外リングギヤと噛み合い、前記回転チャンバの下方にはスライド溝が設けられ、前記回転軸が前記スライド溝の中に入り込み、前記スライド溝の中にはネジ山スリーブがスライドできるように装着され、前記ネジ山スリーブと前記回転軸とがネジ山により係合され、前記連通溝が右側に位置する時、前記偏心孔が前記空気パイプと連通し、空気が前記分流チャンバの中に上へ前記空気パイプの中に入り込み、前記ギヤを回して前記回転軸を連動させて回転させ、前記回転軸がネジ山による係合を通じて前記ネジ山スリーブを連動させて下へ移動させ、前記ネジ山スリーブが底端まで移動し、前記回転軸が回転できなく、同時に前記ギヤが噛み合いにより前記回転リングを連動させて半周回転させ、前記連通溝が前記送気溝と連通し、前記偏心孔が前記空気パイプとずらして配置され、前記下チャンバにある空気が送気溝を通して前記乳液チャンバの中に入り込むことができることを特徴とする請求項１に記載の沐浴に便利なお風呂用おもちゃ。
【請求項４】
前記ゴム外殻の底部端面には泡立てネットが設けられ、前記ゴム外殻の左側端面には前記吊りリングが設けられ、これにより吊りリングを通じてゴム外殻を引っ掛けることができ、前記泡立てネットを使用して泡を立てて沐浴することができることを特徴とする請求項１に記載の沐浴に便利なお風呂用おもちゃ。
【手続補正２】
【補正対象書類名】明細書
【補正対象項目名】全文
【補正方法】変更
【補正の内容】
【発明の詳細な説明】
【技術分野】
【０００１】
本発明は子供浴室おもちゃ分野を取り上げて、具体的には沐浴に便利なお風呂用おもちゃである。
【背景技術】
【０００２】
子供がお風呂に入る時、お風呂のおもちゃなどを置くことにより子供の注意を分散し、親が子供の沐浴を助けることに便利を与え、  現在、様々な浴室おもちゃが市販されており、しかし、沐浴に便利なお風呂用おもちゃはないのである。
【先行技術文献】
【特許文献】
【０００３】
【特許文献１】中国特許出願公開第１０７２８０５４２号明細書
【発明の概要】
【発明が解決しようとする課題】
【０００４】
本発明は沐浴に便利なお風呂用おもちゃを提供し、従来技術における上記欠点を解消することを目的とする。
【課題を解決するための手段】
【０００５】
本発明の沐浴に便利なお風呂用おもちゃは、ゴム外殻を含み、前記ゴム外殻の中には下チャンバと上チャンバが設けられ、前記下チャンバと上チャンバとの間には中チャンバが連通して設けられ、前記中チャンバの中には音を出せる又はボディソープ、シャンプーを押し出せる音出しと押出部品が設けられ、前記音出しと押出部品が前記中チャンバの左右壁の間に固定的に装着される固定ブロックＡを含み、前記固定ブロックＡの中には乳液チャンバが設けられ、前記上チャンバの内壁には固定ブロックＢが設けられ、前記固定ブロックＢと前記乳液チャンバとの間にはボディソープ又はシャンプーが流動しやすい流通パイプが設けられ、前記固定ブロックＢと前記固定ブロックＡとの間には空気パイプが設けられ、前記固定ブロックＢの中に位置する前記空気パイプの内壁の間には音出し用の空気漏れ口が設けられ、前記固定ブロックＡの中には前記音出しと押出部品の音出し機能と押出機能を切り替える切換部品が設置され、前記切換部品が前記空気パイプの中に位置する分流チャンバを含み、前記分流チャンバの内壁の中には回転リングが回転できるように装着され、前記分流チャンバと前記乳液チャンバとの間には送気溝が連通して設置され、前記回転リングには一つの連通溝が設けられ、前記連通溝が前記送気溝と連通でき、前記回転リングが回転した後、前記空気パイプが送る空気を前記乳液チャンバの中に入らせ、前記乳液チャンバの中にあるボディソープ、シャンプーを圧迫して前記流通パイプを通して流出させる。
【０００６】
更の技術プランとしては、前記音出しと押出部品はまた前記乳液チャンバの左側壁に固定的に装着される二つのパイプ固定ブロックを含み、前記乳液チャンバの底壁には凹溝が連通して設置され、前記流通パイプが二つの前記パイプ固定ブロックを貫通して下へ前記凹溝の中に入り込み、前記流通パイプが前記固定ブロックＢの中で伸びて前記空気パイプの中に入り込み、前記固定ブロックＢと前記乳液チャンバとの間には添加通路が連通して設置され、前記ゴム外殻には密封ヘッドが密封して設置され、前記密封ヘッドが前記添加通路と密封して係合される。
【０００７】
更の技術プランとしては、前記切換部品はまた前記回転リングの内壁の間に固定的に装着される閉塞板を含み、前記閉塞板には前記空気パイプと連通される偏心孔が設置され、前記回転リングの外側には環状チャンバが設置され、前記回転リングのうち前記環状チャンバの中に位置する外側端面には外リングギヤが設けられ、前記環状チャンバの右側壁には右に開口した回転チャンバが設けられ、前記回転チャンバの上下壁の間には回転軸が回転できるように装着され、前記回転軸にはギヤが固定的に装着され、前記ギヤが前記外リングギヤと噛み合い、前記回転チャンバの下方にはスライド溝が設けられ、前記回転軸が前記スライド溝の中に入り込み、前記スライド溝の中にはネジ山スリーブがスライドできるように装着され、前記ネジ山スリーブと前記回転軸とがネジ山により係合される。
【０００８】
更の技術プランとしては、前記ゴム外殻の底部端面には泡立てネットが設けられ、前記ゴム外殻の左側端面には前記吊りリングが設けられる。
【発明の効果】
【０００９】
本発明の有益効果は：本発明は構成が簡単で、操作が便利で、ゴム外殻を押して音を出すことにより子供の注意を引き、切換部品を使用してボディソープ又はシャンプーを押し出すことができ、泡立てネットを使用して泡を立てて沐浴することができ、子供の注意を引けると同時に保護者が子供の沐浴を助けることに便利を与え、普及する価値がある。
【図面の簡単な説明】
【００１０】
【図１】図１は本発明の全体構成模式図である；
【図２】図２は図１のＡにおける拡大模式図である；
【図３】図３はボディソープ又はシャンプーに切り換える時の構成模式図である。
【発明を実施するための形態】
【００１１】
以下に図１〜３を交えて本発明について詳しく説明する。便利に叙述するために、現在は後文に出る方位を下記の通りに規定する：後文に出る上下左右前後方向は図１本体の投影関係の上下左右前後方向と一致する。
【００１２】
図１〜３を参照し、本発明の実施例の沐浴に便利なお風呂用おもちゃは、ゴム外殻１１を含み、前記ゴム外殻１１の中には下チャンバ１３と上チャンバ２３が設けられ、前記下チャンバ１３と上チャンバ２３との間には中チャンバ１７が連通して設けられ、前記中チャンバ１７の中には音を出せる又はボディソープ、シャンプーを押し出せる音出しと押出部品９０１が設けられ、前記音出しと押出部品９０１が前記中チャンバ１７の左右壁の間に固定的に装着される固定ブロックＡ１４を含み、前記固定ブロックＡ１４の中には乳液チャンバ１５が設けられ、前記上チャンバ２３の内壁には固定ブロックＢ２４が設けられ、前記固定ブロックＢ２４と前記乳液チャンバ１５との間にはボディソープ又はシャンプーが流動しやすい流通パイプ１８が設けられ、前記固定ブロックＢ２４と前記固定ブロックＡ１４との間には空気パイプ２０が設けられ、前記固定ブロックＢ２４の中に位置する前記空気パイプ２０の内壁の間には音出し用の空気漏れ口２５が設けられ、前記固定ブロックＡ１４の中には前記音出しと押出部品９０１の音出し機能と押出機能を切り替える切換部品９０２が設置され、前記切換部品９０２が前記空気パイプ２０の中に位置する分流チャンバ２６を含み、前記分流チャンバ２６の内壁の中には回転リング２８が回転できるように装着され、前記分流チャンバ２６と前記乳液チャンバ１５との間には送気溝２７が連通して設置され、前記回転リング２８には一つの連通溝３２が設けられ、前記連通溝３２が前記送気溝２７と連通でき、前記回転リング２８が回転した後、前記空気パイプ２０が送る空気を前記乳液チャンバ１５の中に入らせ、前記乳液チャンバ１５の中にあるボディソープ、シャンプーを圧迫して前記流通パイプ１８を通して流出させる。
【００１３】
有益的には、前記音出しと押出部品９０１はまた前記乳液チャンバ１５の左側壁に固定的に装着される二つのパイプ固定ブロック１６を含み、前記乳液チャンバ１５の底壁には凹溝１９が連通して設置され、前記流通パイプ１８が二つの前記パイプ固定ブロック１６を貫通して下へ前記凹溝１９の中に入り込み、前記流通パイプ１８が前記固定ブロックＢ２４の中で伸びて前記空気パイプ２０の中に入り込み、前記固定ブロックＢ２４と前記乳液チャンバ１５との間には添加通路２２が連通して設置され、前記ゴム外殻１１には密封ヘッド２１が密封して設置され、前記密封ヘッド２１が前記添加通路２２と密封して係合され、これによりゴム外殻１１を押す時にゴム外殻１１にある空気が空気パイプ２０の中に入り込み、空気が空気パイプ２０を通して空気漏れ口２５を通す時、音を出し、ゴム外殻１１から指を放した後、ゴム外殻１１が弾性力により復帰して空気を吸い込み、空気が乳液チャンバ１５の中に入った後、乳液チャンバ１５の中の気圧が増大し、乳液チャンバ１５にあるボディソープやシャンプーを圧迫して流通パイプ１８を通して流出させ、密封ヘッド２１を抜き出して添加通路２２を通して乳液チャンバ１５の中にボディソープあるいはシャンプーを添加することができる。
【００１４】
有益的には、前記切換部品９０２はまた前記回転リング２８の内壁の間に固定的に装着される閉塞板４０を含み、前記閉塞板４０には前記空気パイプ２０と連通される偏心孔３８が設置され、前記回転リング２８の外側には環状チャンバ３０が設置され、前記回転リング２８のうち前記環状チャンバ３０の中に位置する外側端面には外リングギヤ３１が設けられ、前記環状チャンバ３０の右側壁には右に開口した回転チャンバ３７が設けられ、前記回転チャンバ３７の上下壁の間には回転軸３５が回転できるように装着され、前記回転軸３５にはギヤ３６が固定的に装着され、前記ギヤ３６が前記外リングギヤ３１と噛み合い、前記回転チャンバ３７の下方にはスライド溝３３が設けられ、前記回転軸３５が前記スライド溝３３の中に入り込み、前記スライド溝３３の中にはネジ山スリーブ３４がスライドできるように装着され、前記ネジ山スリーブ３４と前記回転軸３５とがネジ山により係合され、これにより連通溝３２が右側に位置する時、偏心孔３８が空気パイプ２０と連通し、空気が分流チャンバ２６の中に上へ空気パイプ２０の中に入り込み、ギヤ３６を回して回転軸３５を連動させて回転させ、回転軸３５がネジ山による係合を通じてネジ山スリーブ３４を連動させて下へ移動させ、ネジ山スリーブ３４が底端まで移動し、回転軸３５が回転できなく、同時にギヤ３６が噛み合いにより回転リング２８を連動させて半周回転させ、連通溝３２が送気溝２７と連通し、偏心孔３８が空気パイプ２０とずらして配置され、下チャンバ１３にある空気が送気溝２７を通して乳液チャンバ１５の中に入り込む。
【００１５】
有益的には、前記ゴム外殻１１の底部端面には泡立てネット１２が設けられ、前記ゴム外殻１１の左側端面には前記吊りリング１０が設けられ、これにより吊りリング１０を通じてゴム外殻を引っ掛けることができ、泡立てネット１２を使用して泡を立てて沐浴することができる。
【００１６】
使用する時、連通溝３２が右側に位置するとき、偏心孔３８が空気パイプ２０と連通し、ゴム外殻１１を押し出してゴム外殻１１にある空気が空気パイプ２０の中に入り込み、空気が空気パイプ２０を通して空気漏れ口２５を通す時、音を出し、ギヤ３６を回して回転軸３５を連動させて回転させ、回転軸３５がネジ山による係合を通じてネジ山スリーブ３４を連動させて下へ移動させ、ネジ山スリーブ３４が底端まで移動し、回転軸３５が回転できなく、同時にギヤ３６が噛み合いにより回転リング２８を連動させて半周回転させ、連通溝３２が送気溝２７と連通し、偏心孔３８が空気パイプ２０とずらして配置され、ゴム外殻１１を押し出す時、下チャンバ１３にある空気が送気溝２７を通して乳液チャンバ１５の中に入り込むことができ、乳液チャンバ１５の中の気圧が増大し、乳液チャンバ１５にあるボディソープやシャンプーを圧迫して流通パイプ１８を通して流出させる。
【００１７】
密封ヘッドを抜き出して添加通路２２を通して乳液チャンバ１５の中にボディソープ又はシャンプーを添加することができ、泡立てネット１２を使用して泡を立てて沐浴することができる。
【００１８】
本発明の有益効果は：本発明は構成が簡単で、操作が便利で、ゴム外殻を押して音を出すことにより子供の注意を引き、切換部品を使用してボディソープ又はシャンプーを押し出すことができ、泡立てネットを使用して泡を立てて沐浴することができ、子供の注意を引けると同時に保護者が子供の沐浴を助けることに便利を与え、普及する価値がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。